(57)【要約】【課題】屋根のみならず側壁にも装飾フィルムが回り込むような施工を容易に行うことができるフィルム切断用治具、及びフィルム施工方法を提供する。【解決手段】フィルム切断用治具は、側壁及び屋根を有する対象物のうち、少なくとも屋根を覆うフィルムを切断する際に用いられるフィルム切断用治具であって、対象物を上方から見た場合に、屋根及び少なくとも一部の側壁の上端側を含む被覆領域を連続的に取り囲むように対象物に取り付けられる治具本体部を備え、治具本体部には、装飾フィルムを切断するための切断工具を案内するガイド部が形成され、ガイド部は、対象物を上方から見た場合に、被覆領域を連続的に取り囲むように形成される。【選択図】図３
2018064800.tif 000002
【特許請求の範囲】
【請求項１】
対象物の屋根及び側壁の一部を覆って接着する、裏面側に粘着部を備えた装飾フィルムの切断をサポートするフィルム切断用治具であって、
前記対象物を上方から見た場合に、前記屋根及び少なくとも一部の前記側壁の上端側を含む前記対象物の被覆領域を連続的に取り囲むように前記対象物に取り付けられる治具本体部を備え、
前記治具本体部には、前記装飾フィルムを切断するための切断工具を案内するガイド部が形成され、
前記ガイド部は、前記対象物を上方から見た場合に、前記被覆領域を連続的に取り囲むように形成される、フィルム切断用治具。
【請求項２】
前記対象物は、前記側壁にドアを有するものであって、
前記側壁の前記上端側の領域と、前記ドアの上縁部とが、隙間をあけて並べられており、
前記治具本体部は、
前記隙間に挿入されて前記屋根、前記側壁及び前記ドアのいずれかに固定可能な固定部と、
前記固定部の端面に形成され、前記隙間から露出する露出部と、を有し、
前記ガイド部は、前記露出部に形成される、請求項１に記載のフィルム切断用治具。
【請求項３】
前記露出部のうちの上端側の縁部と、前記ガイド部とは、互いに離間している、請求項２に記載のフィルム切断用治具。
【請求項４】
前記露出部は、当該露出部の上端側の縁部と前記ガイド部との間の領域に、前記側壁に比して前記装飾フィルムの裏面側の前記粘着部が剥離し易い易剥離部を有する、請求項３に記載のフィルム切断用治具。
【請求項５】
前記屋根及び前記側壁の少なくとも一方は、前記隙間内において前記ドアの上端面と対向し、且つ、上方へ向かって膨らむように湾曲する対向面を有するものであって、
前記固定部は、
前記側壁の前記対向面に沿って湾曲し、
前記対向面の面方向に並ぶ複数の第１の磁石が設けられた第１の固定領域、及び前記対向面の前記面方向に並ぶ複数の第２の磁石が設けられた第２の固定領域を備え、
前記複数の第１の磁石のうち、一の磁石の軸線は前記対向面と直交する第１の主軸として設定され、前記複数の第１の磁石のうち、他の磁石の軸線は、前記第１の主軸と平行をなし、
前記複数の第２の磁石のうち、一の磁石の軸線は前記対向面と直交する第２の主軸として設定され、前記複数の第２の磁石のうち、他の磁石の軸線は、前記第２の主軸と平行をなす、請求項２〜４のいずれか一項に記載のフィルム切断用治具。
【請求項６】
前記屋根及び前記側壁の少なくとも一方における前記隙間の奥側には、前記ドアを受ける受面が形成されるものであって、
前記固定部における前記奥側には、前記受面と当接することで前記治具本体部の位置決めを行う位置決め部が形成され、
前記位置決め部には、前記受面から離間する離間部が形成される、請求項２〜５のいずれか一項に記載のフィルム切断用治具。
【請求項７】
前記治具本体部は、前記被覆領域の周方向に沿って複数個に分割されている、請求項１〜６のいずれか一項に記載のフィルム切断用治具。
【請求項８】
前記ガイド部のうち、第１の切断方向と第２の切断方向とが交わる角部では、前記第１の切断方向及び前記第２の切断方向に沿って、前記角部よりも前記治具本体部の縁部側へ延びる延長部が形成される、請求項１〜７のいずれか一項に記載のフィルム切断用治具。
【請求項９】
前記側壁に貼り付けられた前記装飾フィルムの上から当該装飾フィルムを覆うように前記側壁に取り付けられるカバー部材を備え、
前記カバー部材のガイド部は、切断方向に沿って延びると共に前記カバー部材を貫通する貫通部と、前記貫通部の側縁部において外面から内側へ向かって窪むように形成されると共に前記貫通部に沿って延びる溝部と、を備える、請求項１〜８のいずれか一項に記載のフィルム切断用治具。
【請求項１０】
前記カバー部材は、前記貫通部に対して下側にて前記側壁に取り付け可能であり、前記貫通部に対して上側にて前記側壁から離間する、請求項９に記載のフィルム切断用治具。
【請求項１１】
側壁及び屋根を有する対象物のうち、少なくとも前記屋根を覆う装飾フィルムを施工するフィルム施工方法であって、
前記対象物を上方から見た場合に、前記屋根及び少なくとも一部の前記側壁の上端側を含む被覆領域を連続的に取り囲むように前記対象物にフィルム切断用治具を取り付ける治具取付工程と、
前記対象物を上方から見た場合に、前記フィルム切断用治具に形成されたガイド部に沿って、前記被覆領域を取り囲むように連続的に切断工具を案内することで、前記装飾フィルムを切断するフィルム切断工程と、を備えるフィルム施工方法。
【請求項１２】
前記フィルム切断工程にて用いられる前記切断工具は、刃部、及び前記刃部の先端側へ延びる棒状部材を備える、請求項１１に記載のフィルム施工方法。
【発明の詳細な説明】
【技術分野】
【０００１】
本発明は、フィルム切断用治具、及びフィルム施工方法に関する。
【背景技術】
【０００２】
近年、自動車の車体等を複数の色で着色する場合（いわゆるツートーン等のマルチトーンデザイン）があり、複数の色の内の少なくとも一色の着色を、車体への塗装に変えて、接着剤を裏面に付した装飾フィルムの貼り付けによって行う場合があった。このような技術として特許文献１に記載されているものが知られている。特許文献１では、装飾フィルムを貼り付けたのち、車体のフロントの一部の形状に合わせてフィルムを切断し、貼り付けを行っている。
【先行技術文献】
【特許文献】
【０００３】
【特許文献１】国際公開第２０１５／１２７３５０号パンフレット（ＷＯ２０１５／１２７３５０）
【発明の概要】
【発明が解決しようとする課題】
【０００４】
ここで、上述のような装飾フィルムの貼り付けが、対象物（例えば自動車の車体）の屋根に対して行われる場合がある。このような装飾フィルムの施工を行う場合、屋根のみの色を変える（いわゆる通常のツートーンデザインにする）ことであれば、従前方法で装飾フィルムの施工を行うことができる。一方で、屋根と共に側壁の一部まで含めて色を変えるツートーンデザイン等へのニーズが近年発生してきている。しかしながら、このような屋根のみならず側壁の一部まで変えるツートーンデザインは、装飾フィルムでの施工ができず、塗装によって行われている。しかしながら、塗装の場合、マスキングテープを貼って、塗装し、乾燥させ、マスキングテープを剥がすように、生産過程で工程や時間を要する。よって、屋根のみならず側壁まで装飾フィルムが回り込むような施工を容易に行うことが期待されていた。この実現のためには、装飾フィルムの貼付装置と共に、その貼付装置によって貼り付けされた装飾フィルムを適切に切断することを支援する新たな治具や施工方法が求められる。
【課題を解決するための手段】
【０００５】
本発明の一形態に係るフィルム切断用治具は、対象物の屋根及び側壁の一部を覆って接着する、裏面側に粘着部を備えた装飾フィルムの切断をサポートするフィルム切断用治具であって、対象物を上方から見た場合に、屋根及び少なくとも一部の側壁の上端側を含む対象物の被覆領域を連続的に取り囲むように対象物に取り付けられる治具本体部を備え、治具本体部には、装飾フィルムを切断するための切断工具を案内するガイド部が形成され、ガイド部は、対象物を上方から見た場合に、被覆領域を連続的に取り囲むように形成される。
【０００６】
このような形態によれば、フィルム切断用治具は、屋根及び少なくとも一部の側壁の上端側を含む対象物の被覆領域を連続的に取り囲むように対象物に取り付けられる治具本体部を備えている。また、治具本体部には、装飾フィルムを切断するための切断工具を案内するガイド部が形成され、ガイド部は、対象物を上方から見た場合に、被覆領域を連続的に取り囲むように形成される。従って、作業時においては、対象物に対して治具本体部を取り付け、その後、当該治具本体部に形成されたガイド部に沿って装飾フィルムを切断することで、装飾フィルムを被覆領域に応じた形状に容易に切断することができる。以上により、屋根のみならず側壁にも装飾フィルムが回り込むような装飾フィルムの施工を容易に行うことができる。
【０００７】
別の形態に係るフィルム切断用治具において、対象物は、側壁にドアを有するものであって、側壁の上端側の領域と、ドアの上縁部とが、隙間をあけて並べられており、治具本体部は、隙間に挿入されて屋根、側壁及びドアのいずれかに固定可能な固定部と、固定部の端面に形成され、隙間から露出する露出部と、を有し、ガイド部は、露出部に形成されていてよい。
【０００８】
別の形態に係るフィルム切断用治具において、露出部のうちの側壁側の縁部と、ガイド部とは、互いに離間していてよい。
【０００９】
別の形態に係るフィルム切断用治具において、露出部は、当該露出部の上端側の縁部とガイド部との間の領域に、側壁に比して装飾フィルムの裏面側の粘着部が剥離し易い易剥離部を有してよい。
【００１０】
別の形態に係るフィルム切断用治具において、屋根及び側壁の少なくとも一方は、隙間内においてドアの上端面と対向し、且つ、上方へ向かって膨らむように湾曲する対向面を有するものであって、固定部は、側壁の対向面に沿って湾曲し、対向面の面方向に並ぶ複数の第１の磁石が設けられた第１の固定領域、及び対向面の面方向に並ぶ複数の第２の磁石が設けられた第２の固定領域を備え、複数の第１の磁石のうち、一の磁石の軸線は対向面と直交する第１の主軸として設定され、複数の第１の磁石のうち、他の磁石の軸線は、第１の主軸と平行をなし、複数の第２の磁石のうち、一の磁石の軸線は対向面と直交する第２の主軸として設定され、複数の第２の磁石のうち、他の磁石の軸線は、第２の主軸と平行をなしてよい。
【００１１】
別の形態に係るフィルム切断用治具において、屋根及び側壁の少なくとも一方における隙間の奥側には、ドアを受ける受面が形成されるものであって、固定部における奥側には、受面と当接することで治具本体部の位置決めを行う位置決め部が形成され、位置決め部には、受面から離間する離間部が形成されてよい。
【００１２】
別の形態に係るフィルム切断用治具において、治具本体部は、被覆領域の周方向に沿って複数個に分割されていてよい。
【００１３】
別の形態に係るフィルム切断用治具において、ガイド部のうち、第１の切断方向と第２の切断方向とが交わる角部では、第１の切断方向及び第２の切断方向に沿って、角部よりも治具本体部の縁部側へ延びる延長部が形成されてよい。
【００１４】
別の形態に係るフィルム切断用治具において、側壁に貼り付けられた装飾フィルムの上から当該装飾フィルムを覆うように側壁に取り付けられるカバー部材を備え、カバー部材のガイド部は、切断方向に沿って延びると共にカバー部材を貫通する貫通部と、貫通部の側縁部において外面から内側へ向かって窪むように形成されると共に貫通部に沿って延びる溝部と、を備えてよい。
【００１５】
別の形態に係るフィルム切断用治具において、カバー部材は、貫通部に対して下側にて側壁に取り付け可能であり、貫通部に対して上側にて側壁から離間してよい。
【００１６】
本発明の一形態に係るフィルム施工方法は、側壁及び屋根を有する対象物のうち、少なくとも屋根を覆う装飾フィルムを施工するフィルム施工方法であって、対象物を上方から見た場合に、屋根及び少なくとも一部の側壁の上端側を含む被覆領域を連続的に取り囲むように対象物にフィルム切断用治具を取り付ける治具取付工程と、対象物を上方から見た場合に、フィルム切断用治具に形成されたガイド部に沿って、被覆領域を取り囲むように連続的に切断工具を案内することで、装飾フィルムを切断するフィルム切断工程と、を備える。
【００１７】
このような形態によれば、上述のフィルム切断用治具と同様の作用・効果を得ることができる。
【００１８】
別の形態に係るフィルム施工方法において、フィルム切断工程にて用いられる切断工具は、刃部、及び刃部の先端側へ延びる棒状部材を備えてよい。
【発明の効果】
【００１９】
本発明によれば、屋根のみならず側壁にも装飾フィルムが回り込むような施工を容易に行うことができる。
【図面の簡単な説明】
【００２０】
【図１】図１は、本実施形態に係るフィルム切断用治具を用いて装飾フィルムの施工がなされた車体を示す斜視図である。
【図２】図２は、本実施形態に係るフィルム切断用治具が車体に取り付けられた状態を示す斜視図である。
【図３】図３は、本実施形態に係るフィルム切断用治具が車体に取り付けられた状態を示す平面図である。
【図４】図４は、治具本体部の斜視図である。
【図５】図５は、図４とは異なる方向から見た治具本体部の斜視図である。
【図６】図６は、治具本体部の固定手段の説明を行うための概略断面図である。
【図７】図７は、リアピラーに取り付けられる治具本体部周辺の構造を示す概略平面図である。
【図８】図８は、装飾フィルムの施工方法を説明するための概念図である。
【図９】図９は、装飾フィルムの施工方法を説明するための概念図である。
【図１０】図１０は、装飾フィルムの施工方法を説明するための概念図である。
【図１１】図１１は、装飾フィルムの施工方法を説明するための概念図である。
【図１２】図１２は、装飾フィルムの施工方法を説明するための概念図である。
【図１３】図１３は、装飾フィルムの施工方法を説明するための概念図である。
【図１４】図１４は、装飾フィルムの施工方法を説明するための概念図である。
【図１５】図１５は、装飾フィルムの施工方法を説明するための概念図である。
【図１６】図１６は、カバー部材の斜視図である。
【図１７】図１７は、カバー部材を車幅方向から見た概念図である。
【図１８】図１８は、カバー部材及び当該カバー部材を用いた切断時の切断工具を示す概略断面図である。
【発明を実施するための形態】
【００２１】
以下、添付図面を参照して、本発明の実施形態について詳細に説明する。なお、以下の説明において、同一又は相当要素には同一符号を付し、重複する説明を省略する。
【００２２】
図１は、本実施形態に係るフィルム切断用治具を用いて装飾フィルムの施工がなされた自動車の車体を示す斜視図である。本実施形態に用いるフィルムは、フィルムの裏面に粘着部（粘着剤（感圧接着剤）が塗布された部分）を備え、色彩や模様等を施された装飾フィルムである。装飾フィルムは、例えば塗装することに代えてフィルムを貼り付ける用途で塗装代替フィルムとして用いられる。図１に示すように、フィルム施工の対象物となる車体１００は、側壁１０１及び屋根１０２を有する。フィルムＷは、車体１００（金属製のフレームおよびパネルによって構成される）のうち、屋根１０２及び少なくとも一部の側壁１０１の上端側の被覆領域ＣＰを被覆する。図１においては、車体１００のうち、フィルムＷで被覆された部分をハッチングで示す。車体１００は、屋根１０２と、屋根１０２から後方へ延びるリアピラー１０３と、屋根１０２の前後方向中央位置から下方へ延びるセンターピラー１０４と、屋根１０２から前方へ延びるフロントピラー１０６と、屋根１０２とリアピラー１０３とで囲まれる部分においてリアガラスを取り付けるための枠体１１８と、屋根１０２とフロントピラー１０６とで囲まれる部分においてフロントガラスを取り付けるための枠体１１９と、を備える。なお、本明細書の「枠体」とは、リアガラスやフロントガラスを取り付ける部分の事を指す。例えば、ピラーの縁部及び屋根１０２の縁部にガラスを受けるため専用部材を設ける場合は、当該部材が「枠体」に該当する。ピラーの縁部及び屋根１０２の縁部に直接的にガラスを取り付ける場合は、ピラーの縁部及び屋根１０２の縁部自体が「枠体」に該当する。本実施形態では、リア側の枠体１１８は、屋根１０２とリアピラー１０３に設けられる部材によって構成される。フロント側の枠体１１９は、フロントピラー１０６の縁部、及び屋根１０２のフロント側の縁部自体によって構成される。ただし、枠体１１８，１１９の構成は本実施形態に示すものに限定されず、リア側の枠体が、リアピラー１０３の縁部及び屋根１０２のリア側の縁部自体によって構成されてもよい。このうち、リアピラー１０３、センターピラー１０４及びフロントピラー１０６は、側壁１０１を構成する。また、側壁１０１は、屋根１０２の側縁部から、下方へ向かって屈曲する上縁部１０７と、ドア１１０（図８参照）と、を有する。上縁部１０７は、ドアの上端と屋根１０２との間に形成される。また、ドアは前側のドアと後側のドアが設けられるが、水平方向において、後側ドアの後側にはリアピラー１０３が形成され、前側ドアの前側にはフロントピラー１０６が形成され、後側のドア及び前側のドアとの間にはセンターピラー１０４が形成される。本実施形態では、側壁１０１のうち、リアピラー１０３及びフロントピラー１０６の上端側の一部と、上縁部１０７にフィルムＷが貼り付けられる。ただし、リアピラー１０３及びフロントピラー１０６の少なくとも一方にフィルムＷが貼り付けられてよく、センターピラー１０４にフィルムＷが貼り付けられてもよい。
【００２３】
図２は、本実施形態に係るフィルム切断用治具が車体に取り付けられた状態を示す斜視図である。図３は、本実施形態に係るフィルム切断用治具が車体に取り付けられた状態を示す平面図である。フィルム切断用治具２は、車体１００の屋根１０２及び側壁１０１に貼り付けられたフィルムＷを所望の形状に切断するための切断をサポートする治具である。
【００２４】
図２及び図３に示すように、フィルム切断用治具２は、車体１００を上方から見た場合に、屋根１０２及び側壁１０１の上端側を含む被覆領域ＣＰを連続的に取り囲むように車体１００に取り付けられる治具本体部３を備える。また、治具本体部３には、フィルムＷを切断するための切断工具（例えばカッターの刃部）を案内するガイド部４が形成される。ガイド部４は、車体１００を上方から見た場合に、切断工具を案内する溝又は類似の構造を有し、且つ、被覆領域ＣＰを連続的に取り囲むように形成される。図２及び図３においては、ガイド部４の位置を破線で特定している。図に示すように、ガイド部４は、被覆領域ＣＰを全周にわたって取り囲んでいる。
【００２５】
このようなフィルム切断用治具２の治具本体部３は、被覆領域ＣＰの周方向に沿って複数個に分割されている。具体的には、フィルム切断用治具２は、後側の枠体１１８に設置される治具本体部３Ａ、リアピラー１０３に設置される治具本体部３Ｂ、上縁部１０７に設置される治具本体部３Ｃ，３Ｄ，３Ｅ、フロントピラー１０６に設置される治具本体部３Ｆ、及び前側の枠体（フロントウィンドウの上側が車体に接している部分。言い換えると屋根とフロントウィンドウとの間にあたる部分。）１１９に設置される治具本体部３Ｇを有する。ただし、分割の個数や分割箇所は特に限定されず、任意に変更可能である。
【００２６】
次に、治具本体部の具体的な構成の一例について説明する。ここでは、図４〜６を参照して、上縁部１０７に設置される治具本体部３Ｃを例にして説明する。この治具本体部３Ｃは、側壁１０１の上端側の領域である上縁部１０７と、ドア１１０の縁部との間に取り付けられる。なお、他の治具本体部３Ｄ，３Ｅは、治具本体部３Ｃと同趣旨の構成を有するため、説明を省略する。
【００２７】
ここで、図８を参照して、上縁部１０７付近の構成について説明する。上縁部１０７とドア１１０の上端側の縁部とは、隙間ＧＰをあけて並べられている。上縁部１０７の下端部が車体内側へ入り込むように屈曲することで、ドア１１０の上端面１１１と上下方向に対向する対向面１０８が形成される。また、対向面１０８の車体内側の端部が下方へ屈曲することで、ドア１１０を受ける受面１０９が形成される。
【００２８】
図４〜６に戻り、治具本体部３Ｃは、固定部１１と、露出部１２と、取付部１３と、を備えている。固定部１１は、隙間ＧＰに挿入されて屋根１０２、側壁１０１及びドア１１０のいずれかに固定可能な部分である。なお、本実施形態では側壁１０１の対向面１０８に固定されるものとする。また、固定部１１の固定手段については後述する。固定部１１は、車体１００の奥側へ向かって延びるような板状の部材によって構成されている。固定部１１は、隙間ＧＰに挿入された状態では、側壁１０１の対向面１０８及びドア１１０の上端面１１１と対向するように配置される（図９参照）。固定部１１における奥側は、受面１０９と当接することで治具本体部３Ｃの位置決めを行う位置決め部１４が形成される。位置決め部１４には、受面１０９から離間する離間部１６が形成される。離間部１６は、奥側の端部が、位置決め部１４よりも車体外側に配置されているため、位置決め部１４が受面１０９と当接している状態では、当該受面１０９から離間した状態となる。なお、位置決め部１４は、固定部１１の前後方向における両端に形成されているが、前後方向における位置は特に限定されない。
【００２９】
露出部１２は、固定部１１の車体外側の端面に形成され、隙間ＧＰから突出又は露出する部分である。この露出部１２は、治具本体部３Ｃを車体１００に取り付けた時、上縁部１０７とドア１１０の上端部に沿って車体の前後方向に延びている。ガイド部４Ｃは、露出部１２に形成される。ガイド部４Ｃは、露出部１２に沿って、すなわち上縁部１０７とドア１１０の上端部に沿って車体の前後方向に延びている。露出部１２のうちの上端側の縁部と、ガイド部４Ｃとは、互いに離間している。すなわち、露出部１２は、上端側の上縁部１０７とガイド部４Ｃとの間の領域に、側壁１０１に比してフィルムＷの裏面側の粘着部が剥離し易い易剥離部２１を有する。ガイド部４Ｃに沿ってフィルムＷを切断している際には、露出部１２にフィルムＷの粘着部が接触するが、側壁１０１側の上縁部１０７とガイド部４Ｃとの間の領域には易剥離部２１が形成されているため、フィルムＷの切断後に、当該フィルムＷを容易に剥離させることができる。なお、易剥離部２１の形成方法は特に限定されず、該当箇所に表面処理（例えばフッ素系材料を塗布等）を施すことでフィルムＷを剥離し易くしてもよく、フィルムＷの剥離性の高い部材を該当箇所に貼り付けてもよい。
【００３０】
なお、ガイド部４Ｃのうち、治具本体部３Ｃのガイド部４Ｃにおける切断方向と治具本体部３Ｂにおけるガイド部４Ｂの切断方向とが交わる角部２８では、治具本体部３Ｃのガイド部４Ｃの切断方向に沿って角部２８よりも治具本体部３Ｃの車体後方の縁部側へ延びる延長部２９が形成される。また、角部２８では、治具本体部３Ｂのガイド部４Ｂの切断方向に沿って、角部２８よりも治具本体部３Ｃの縁部側（露出部１２のドア１１０側の縁部）へ延びる延長部３１が形成される。
【００３１】
取付部１３は、リアピラー１０３に配置される治具本体部３Ｂを取り付けるための部分である。取付部１３は、治具本体部３Ｃを隙間ＧＰに挿入して取り付けた際に、リアピラー１０３の外面に配置される。取付部１３には、車体外側へ向かって延びる突出部１３ａが形成されている。取付部１３の突出部１３ａは、治具本体部３Ｃの穴部に挿入される。
【００３２】
図６を参照して、固定部１１の構成について詳細に説明する。側壁１０１は、隙間ＧＰ内においてドア１１０の上端面１１１と対向する対向面１０８を有している（図８参照）。対向面１０８は、上方へ向かって膨らむように湾曲している。固定部１１は、側壁１０１の対向面１０８に沿って湾曲している。固定部１１は、固定手段として、複数の磁石２３を備えている。固定部１１の下面１１ａには、複数の穴２２が形成されており、当該穴２２に磁石２３が挿入されている。また、穴２２の底部からは、固定部１１の上面１１ｂに向かって貫通する貫通孔２４が形成されている。
【００３３】
このような固定部１１は、対向面１０８の面方向に並ぶ複数の第１の磁石２３Ａが設けられた第１の固定領域２６Ａ、及び対向面１０８の面方向に並ぶ複数の第２の磁石２３Ｂが設けられた第２の固定領域２６Ｂを備えている。第１の固定領域２６Ａは、固定部１１のうち車体前後方向の一方側に配置され、第２の固定領域２６Ｂは、固定部１１のうち車体前後方向の他方側に配置される。複数の第１の磁石２３Ａのうち、磁石２３ＡＭの軸線は対向面１０８と直交する第１の主軸ＣＬ１Ｍとして設定される。このうち、複数の第１の磁石２３Ａのうち、他の磁石２３Ａの軸線ＣＬ１は、第１の主軸ＣＬ１Ｍと平行をなす。複数の第２の磁石２３Ｂのうち、一の磁石２３ＢＭの軸線は対向面１０８と直交する第２の主軸ＣＬ２Ｍとして設定され、複数の第２の磁石２３Ｂのうち、他の磁石２３Ｂの軸線ＣＬ２は、第２の主軸ＣＬ２Ｍと平行をなす。なお、図６に示す例では、２つの固定領域について説明したが、固定部１１は３つ以上の固定領域を有してもよい。なお、本明細書で「軸線が対向面と直交する」とは、軸線と対向面の交点において、対向面に対して設定された接線（及びその集合によって構成される平面）が、軸線と直交することを言う。
【００３４】
なお、図２に示す治具本体部のうち、上縁部１０７に取り付けられる治具本体部３Ｄ，３Ｅについては、治具本体部３Ｃと同様に、固定部と露出部を有しており、露出部にガイド部４Ｄ，４Ｅが形成されている。ただし、治具本体部３Ｄには取付部が設けられていない。また、治具本体部３Ｄの固定部は、センターピラー１０４を回避するように、湾曲している。治具本体部３Ｅは、フロントピラー１０６の治具本体部３Ｆを取り付けるための取付部が形成されている。
【００３５】
図２、図３及び図７に示すように、屋根１０２の後縁部に沿って設置される治具本体部３Ａは、リアガラス用の枠体１１８の上端部付近の形状に対応した板状の形状を有している。治具本体部３Ａは、屋根１０２の後縁部と対応する形状で当該後縁部に沿って車体の幅方向に延びる縁部３Ａａと、リアピラー１０３と枠体１１８との境界部１０８ａと対応する形状で当該境界部１０８ａに沿って延びる縁部３Ａｂと、を有している（特に図７参照）。リアピラー１０３に設置される治具本体部３Ｂは、リアピラー１０３の外面に対応する形状を有する板状の形状を有している。治具本体部３Ｂは、リアピラー１０３の所定の高さ位置（少なくとも、治具本体部３Ａ及び治具本体部３Ｃと連続する位置）にて車体前後方向に延びる縁部３Ｂａと、境界部１０８ａと対応する形状で当該境界部１０８ａに沿って延びる縁部３Ｂｂと、を有している（特に図７参照）。治具本体部３Ａ，３Ｂには、固定手段として複数の磁石が設けられている。治具本体部３Ａ，３Ｂの磁石は、治具本体部３Ｃと同様に溝部に収容されており、当該溝部の底部には、車体の取り付け面へ向かって貫通する貫通孔が形成されている。
【００３６】
治具本体部３Ｂには、縁部３Ｂａに沿って車体前後方向にガイド部４Ｂが形成されている。ガイド部４Ｂは、治具本体部３Ｃの角部２８及び延長部３１の位置に対応するように、ガイド部４Ｃと交差する（図４参照）。また、ガイド部４Ｂは、治具本体部３Ａの縁部３Ａｂと交差する。治具本体部３Ａには、縁部３Ａａに沿ってガイド部４Ａａが形成され、縁部３Ａｂに沿ってガイド部４Ａｂが形成される。縁部３Ａｂとガイド部４Ａｂとの間には、治具本体部３Ｂのガイド部４Ｂと連続するように、延長部４３が形成される。また、ガイド部４Ａのうち、ガイド部４Ａａの切断方向とガイド部４Ａｂの切断方向とが交わる角部４５では、ガイド部４Ａａの切断方向及びガイド部４Ａｂの切断方向に沿って、角部４５よりも治具本体部３Ａの縁部３Ａａ及び３Ａｂ側へ延びる延長部４１が形成される。延長部４１は、ガイド部４Ａａ，４Ａｂの両方の方向成分を有するように、縁部３Ａａと縁部３Ａｂとの間の角部へ向かって傾斜する一本の溝である。ただし、ガイド部４Ａａを延長して縁部３Ａｂへ向かう縁部と、ガイド部４Ａｂを延長して縁部３Ａａへ向かう縁部をそれぞれ形成してもよい。また、ガイド部４Ａのうち、ガイド部４Ａｂの切断方向と治具本体部３Ｂのガイド部４Ｂの切断方向（すなわち延長部４３）とが交わる角部４６では、ガイド部４Ａｂの切断方向に沿って、角部４６よりも治具本体部３Ａの下方の縁部３Ａｃ側へ延びる延長部４２が形成される。また、角部４６では、ガイド部４Ｂの切断方向に沿って、角部４６よりも治具本体部３Ａの車体内側へ延びる延長部４７が形成される。なお、治具本体部３Ａ，３Ｂにも、ガイド部４Ａ，４Ｂと縁部との間に易剥離部が形成されてよい。
【００３７】
なお、フロントピラー１０６に設置される治具本体部３Ｆと、前側の枠体１１９に設置される治具本体部３Ｇは、治具本体部３Ｂ，３Ａと同趣旨の構成を有しているため、説明を省略する。
【００３８】
次に、本実施形態に係るフィルム施工方法について説明する。フィルム施工方法は、側壁及び屋根を有する対象物のうち、少なくとも屋根を覆うフィルムを施工する方法である。フィルム施工方法は、治具取付工程と、フィルム設置工程と、フィルム切断工程と、フィルム調整工程と、を備える。
【００３９】
治具取付工程は、車体１００を上方から見た場合に、屋根及び側壁１０１の上端側を含む被覆領域ＣＰを連続的に取り囲むように車体１００にフィルム切断用治具２を取り付ける。具体的には、後側の枠体１１８に治具本体部３Ａを設置し、リアピラー１０３に治具本体部３Ｂを設置し、側壁１０１の上縁部１０７とドア１１０との間の隙間に治具本体部３Ｃ，３Ｄ，３Ｅを設置し、フロントピラー１０６に治具本体部３Ｆを設置し、前側の枠体１１９に治具本体部３Ｇを設置する。このとき、互いに隣り合う治具本体部同士は、互いに隙間なく連続的に設置される。このとき、各治具本体部３Ａ〜３Ｇに形成されたガイド部４Ａ〜４Ｇは、互いに連続するように配置される。
【００４０】
本工程では、例えば図８及び図９に示すように、治具本体部３Ｃ，３Ｄ，３Ｅは、上縁部１０７とドア１１０との間の隙間ＧＰに対して位置合わせされ、当該隙間ＧＰに挿入されて、固定部１１が対向面１０８に固定される。また、この時、固定部１１の位置決め部１４が受面１０９と当接することによって、治具本体部３Ｃ，３Ｄ，３Ｅの幅方向への位置決めが行われる。また、図１３に示すように、治具本体部３Ｂ，３Ｆは、リアピラー１０３、フロントピラー１０６の外面に対して固定される。また、治具本体部３Ａ，３Ｇは、後側の枠体１１８、及び前側の枠体１１９の外面に対して固定される。
【００４１】
フィルム設置工程は、フィルム切断用治具２が設置された状態の車体１００に対し、屋根１０２、側壁１０１、及びフィルム切断用治具２に対して、フィルムＷを設置すると共に貼り付ける工程である。本工程では、図９に示すように、屋根１０２の上部に、裏面の粘着部が露出した状態のフィルムＷが配置され、下方へ向かってフィルムＷが下される。これにより、図１０に示すように、屋根１０２、側壁１０１の上縁部１０７、及び治具本体部３Ｃ，３Ｄ，３Ｅの露出部１２にフィルムＷが貼り付けられる。また、図１３に示すように、屋根１０２、リアピラー１０３の外面、フロントピラー１０６の外面、及び治具本体部３Ｂ，３ＦにフィルムＷが貼り付けられる。また、屋根１０２、及び治具本体部３Ａ，３ＧにフィルムＷが貼り付けられる。
【００４２】
フィルム切断工程は、車体１００を上方から見た場合に、フィルム切断用治具２に形成されたガイド部４に沿って、被覆領域ＣＰを取り囲むように連続的に切断工具を案内することで、フィルムを切断する工程である。これによって、フィルムＷはガイド部４に沿って切断されることで、被覆領域ＣＰに対応する所望の形状に切断され、貼り付けに不要な部分が除去される。
【００４３】
本工程では、図１１（ａ）及び図１４に示すように、治具本体部３Ｂ〜３Ｆのガイド部４Ｂ〜４Ｆに沿って、切断工具１５０が案内されながら、フィルムＷの切断が行われる。また、治具本体部３Ａ，３Ｇのガイド部４Ａ，４Ｇに沿って、切断工具１５０が案内されながら、フィルムＷの切断が行われる。ここで、図１１（ａ）及び（ｂ）に示すように、フィルム切断工程にて用いられる切断工具１５０は、刃部１５１、及び刃部１５１の先端側へ延びる棒状部材１５２を備えている。棒状部材１５２は、刃部１５１の裏側において、刃部１５１の延在方向に沿って延びている。図１１（ｃ）に示すように、棒状部材１５２の幅方向の寸法は、刃部１５１の厚さよりも大きく設定されている。従って、棒状部材１５２は、刃部１５１の厚さ方向における両側からはみ出ている。従って、切断工具１５０をガイド部４に挿入した場合、ガイド部４の溝面に対して棒状部材１５２が当接することによって、刃部１５１がガイド部４の溝面から離間した状態で、フィルムＷの切断を行うことができる。
【００４４】
フィルム調整工程は、フィルムＷの切断後に、治具本体部３Ａ〜３Ｇを取り外し、フィルムＷのうち、当該治具本体部３Ａ〜３Ｇの易剥離部２１に被っていた部分を車体１００に貼り付ける工程である。治具本体部３Ｃ，３Ｄ，３Ｅの易剥離部２１から剥離されたフィルムＷは、上縁部１０７の下縁を回り込むように折りたたまれ、対向面１０８に貼り付けられる。また、治具本体部３Ｂ，３Ｆの易剥離部２１から剥離されたフィルムＷは、図１５に示すように、リアピラー１０３の外面、及びフロントピラー１０６の外面に貼り付けられる。また、治具本体部３Ａ，３Ｇの易剥離部２１から剥離されたフィルムＷは、枠体１１８，１１９と屋根１０２との境界部分における段差にて、折り返されて当該段差に貼り付けられる。以上により、フィルムＷの施工が完了する。
【００４５】
次に、本実施形態に係るフィルム切断用治具２及びフィルム施工方法の作用・効果について説明する。
【００４６】
本実施形態に係るフィルム切断用治具２は、屋根１０２及び側壁１０１の上端側を含む被覆領域ＣＰを連続的に取り囲むように車体１００に取り付けられる治具本体部３を備えている。また、治具本体部３には、フィルムＷを切断するための切断工具１５０を案内するガイド部４が形成され、ガイド部４は、車体１００を上方から見た場合に、被覆領域ＣＰを連続的に取り囲むように形成される。従って、作業時においては、車体１００に対して治具本体部３を取り付け、その後、当該治具本体部３に形成されたガイド部４に沿ってフィルムＷを切断することで、フィルムＷを被覆領域ＣＰに応じた形状に容易に切断することができる。以上により、屋根１０２のみならず側壁１０１にもフィルムＷが回り込むような施工を容易に行うことができる。
【００４７】
フィルム切断用治具２において、車体１００は、側壁１０１にドア１１０を有するものであって、側壁１０１の上縁部（上端側の領域）１０７と、ドア１１０の上縁部とが、隙間ＧＰをあけて並べられている。治具本体部３Ｃ，３Ｄ，３Ｅは、隙間ＧＰに挿入されて側壁１０１に固定可能な固定部１１と、固定部１１の端面に形成され、隙間ＧＰから突出又は露出する露出部１２と、を有する。ガイド部４は、露出部１２に形成されている。このような構成により、作業者は、治具本体部３Ｃ，３Ｄ，３Ｅを隙間ＧＰに挿入して固定部１１で側壁１０１に固定するだけで、容易にガイド部４を上縁部１０７とドア１１０との間に配置することができる。
【００４８】
フィルム切断用治具２において、側壁１０１は、ドア１１０の水平方向における少なくとも一方側に設けられたピラー１０３，１０６を含んでいる。このように、側壁１０１として、ピラー１０３，１０６にフィルムＷが貼り付けられる。
【００４９】
フィルム切断用治具２において、露出部１２のうちの上端側の縁部と、ガイド部４とは、互いに離間している。このような構成により、フィルムＷの切断位置と、隙間ＧＰの上端、すなわち側壁１０１の上縁部１０７の下端との間に、フィルムＷの折り曲げ代を確保することができる。従って、当該折り曲げ代を対向面１０８側へ折り曲げることで、フィルムＷの切断面を隙間ＧＰ内へ配置できる。
【００５０】
フィルム切断用治具２において、露出部１２は、当該露出部１２の上端側の縁部とガイド部４との間の領域に、側壁１０１に比してフィルムＷの裏面側の粘着部が剥離し易い易剥離部２１を有している。このような構成により、フィルムＷの切断後、フィルムＷを治具本体部３Ｃ，３Ｄ，３Ｅから容易に剥離することができる。
【００５１】
フィルム切断用治具２において、側壁１０１は、隙間ＧＰ内においてドア１１０の上端面１１１と対向、且つ、上方へ向かって膨らむように湾曲する対向面１０８を有するものである。対向面１０８は、上方へ向かって膨らむように湾曲し、固定部１１は、側壁１０１の対向面１０８に沿って湾曲し、対向面１０８の面方向に並ぶ複数の第１の磁石２３Ａが設けられた第１の固定領域２６Ａ、及び対向面１０８の面方向に並ぶ複数の第２の磁石２３Ｂが設けられた第２の固定領域２６Ｂを備える。複数の第１の磁石２３Ａのうち、一の磁石２３ＡＭの軸線は対向面１０８と直交する第１の主軸ＣＬ１Ｍとして設定され、複数の第１の磁石２３Ａのうち、他の磁石２３Ａの軸線ＣＬ１は、第１の主軸ＣＬ１Ｍと平行をなす。複数の第２の磁石２３Ｂのうち、一の磁石２３ＢＭの軸線は対向面１０８と直交する第２の主軸ＣＬ２Ｍとして設定され、複数の第２の磁石２３Ｂのうち、他の磁石２３Ｂの軸線ＣＬ２は、第２の主軸ＣＬ２Ｍと平行をなしている。このような構成により、湾曲した対向面１０８に対して磁石の軸線の方向を少なくとも第１の固定領域２６Ａと第２の固定領域２６Ｂの二カ所で対応させることで、磁石による固定力を確保できる。このように、湾曲した対向面１０８の垂直方向に磁石の軸線の方向を対応させつつも、一の磁石２３ＡＭ，２３ＢＭ以外の磁石２３Ａ，２３Ｂの軸線ＣＬ１，ＣＬ２については、代表的な軸線である主軸ＣＬ１Ｍ，ＣＬ２Ｍと平行とすることで、製造の容易性を確保できる。例えば、全ての磁石の軸線を対向面１０８と直交させる場合は、製造上、及び設計上の負担が大きくなる。
【００５２】
フィルム切断用治具２において、側壁１０１の隙間ＧＰの奥側には、ドア１１０を受ける受面１０９が形成されるものである。固定部１１における奥側には、受面１０９と当接することで治具本体部３Ｃ，３Ｄ，３Ｅの位置決めを行う位置決め部１４が形成され、位置決め部１４には、受面１０９から離間する離間部１６が形成されている。例えば、固定部１１の奥側の縁部の全体にわたって受面１０９と当接する場合は、寸法誤差等により固定部１１と受面１０９との間でがたつきが発生する可能性がある。一方、離間部１６を形成することで、位置決め部１４にて部分的に受面１０９と当接することで、がたつきの発生を抑制できる。
【００５３】
フィルム切断用治具２において、治具本体部３は、被覆領域ＣＰの周方向に沿って複数個に分割されている。このような構成により、作業時に治具本体部３を車体１００に取り付け易くなる。
【００５４】
フィルム切断用治具２において、ガイド部４のうち、ガイド部４Ａａの切断方向とガイド部４Ａｂの切断方向とが交わる角部４５では、それぞれの切断方向に沿って、角部４５よりも治具本体部３Ａの縁部３Ａａ，３Ａｂ側へ延びる延長部４１が形成されている。また、治具本体部３Ｃのガイド部４Ｃにおける切断方向と治具本体部３Ｂにおけるガイド部４Ｂの切断方向とが交わる角部２８では、治具本体部３Ｃのガイド部４Ｃの切断方向に沿って角部２８よりも治具本体部３Ｃの車体後方の縁部側へ延びる延長部２９が形成される。また、治具本体部３Ｂのガイド部４Ｂの切断方向に沿って角部２８よりも治具本体部３Ｃの下端の縁部側へ延びる延長部３１が形成される。以上のような延長部が形成されることで、作業者は、ガイド部の角部においてもスムーズに切断工具１５０を移動させることができるため、各角部におけるフィルムの切断形状の品質を向上できる。
【００５５】
フィルム施工方法は、側壁１０１及び屋根１０２を有する車体１００のうち、少なくとも屋根１０２を覆うフィルムＷを施工するフィルム施工方法であって、車体１００を上方から見た場合に、屋根１０２及び少なくとも一部の側壁１０１の上端側を含む被覆領域ＣＰを連続的に取り囲むように車体１００にフィルム切断用治具２を取り付ける治具取付工程と、車体１００を上方から見た場合に、フィルム切断用治具２に形成されたガイド部４に沿って、被覆領域ＣＰを取り囲むように連続的に切断工具１５０を案内することで、フィルムＷを切断するフィルム切断工程と、を備える。
【００５６】
このような形態によれば、上述のフィルム切断用治具２と同様の作用・効果を得ることができる。
【００５７】
フィルム施工方法において、フィルム切断工程にて用いられる切断工具１５０は、刃部１５１、及び刃部１５１の先端側へ延びる棒状部材１５２を備えている。このような棒状部材１５２を設けることで、棒状部材１５２をガイド部４に接触させることで、刃部１５１がガイド部４と直接接触することを回避できる。
【００５８】
本発明は、上述の実施形態に限定されるものではない。
【００５９】
例えば、上述の実施形態では、ピラー１０３，１０６に対する治具本体部３Ｂ，３Ｆを用いた場合、フィルムＷを治具本体部３Ｂ，３Ｆ（の易剥離部２１）に一度貼り付け、切断後に治具本体部３Ｂ，３ＦからフィルムＷを剥がして、ピラー１０３，１０６に貼り付ける必要があった。この場合、特に光沢のあるフィルムＷを用いた場合には、易剥離部２１への表面処理を施していてもなお、表面にショックライン等が残る可能性があった。従って、図１６に示すように、フィルムＷをピラー１０３，１０６に貼り付けておき、その上からカバー部材２００をかぶせて、フィルムＷを切断してもよい。
【００６０】
すなわち、フィルム切断用治具は、側壁１０１であるフロントピラー１０６に貼り付けられたフィルムＷの上から当該フィルムＷを覆うようにフロントピラー１０６に取り付けられるカバー部材２００を備える。カバー部材２００のガイド部２０１は、切断方向に沿って延びると共にカバー部材２００を貫通する貫通部２０２と、貫通部２０２の側縁部において外面から内側へ向かって窪むように形成されると共に貫通部２０２に沿って延びる溝部２０３と、を備える。このカバー部材２００は、治具本体部３Ｆに対応し、ガイド部２０１は、ガイド部４Ｆに対応する。
【００６１】
このようなカバー部材２００を用いた場合、図１８に示すような専用の切断工具２５０を用いてよい。切断工具２５０は、先端に刃部２５１が形成された棒状部材２５２と、棒状部材２５２の先端部及び刃部２５１を飛出し可能に収容する収容部２５３と、を備えている。収容部２５３は、図示されない弾性機構によって、棒状部材２５２を保持している。未使用時においては、刃部２５１は収容部２５３内に収容された状態となっている（図において二点鎖線で示す状態）。一方、切断時において、収容部２５３をカバー部材２００の溝部２０３内に配置し、棒状部材２５２を押し付けると、刃部２５１が収容部２５３から飛出し、貫通部２０２を通過して、フロントピラー１０６の外面のフィルムＷに到達する。すなわち、カバー部材２００の厚みと弾性機構（によって必要以上の押し付けを抑制）との相関によって刃部２５１がフィルムＷを超えてピラー表面を傷つけることを防止している。当該状態にて、収容部２５３を溝部２０３に沿って移動させることで、切断工具２５０でフィルムＷを所望の位置で切断することができる。
【００６２】
このようなカバー部材２００によれば、フィルムＷをフロントピラー１０６に貼り付けた状態で、切断を行うことができる。従って、切断後のフィルムＷを治具本体部３から剥がしてからフロントピラー１０６に貼りなおす必要がないため、フィルムＷのショックラインの発生を防止できる。
【００６３】
なお、図１７に示すように、カバー部材２００は、治具本体部３Ｅのガイド部４Ｅがガイド部２０１と交差するように配置される。これによって、治具本体部３Ｅに沿ってフィルムＷを切断した後、当該ガイド部４Ｅに沿った切断と連続して、ガイド部２０１に沿って切断を行うことができる。
【００６４】
また、カバー部材２００は、貫通部２０２に対して被覆領域ＣＰとは反対側の部分である下部領域２００Ａにてフロントピラー１０６の外面に取り付け可能である。また、貫通部２０２に対して被覆領域ＣＰ側の部分である上部領域２００Ｂにてフロントピラー１０６から離間している。このように、被覆領域ＣＰを覆う側では、フロントピラー１０６、すなわちフィルムＷから離間させることで、切断後のフィルムＷにカバー部材２００取付時の痕が残ることを抑制できる。一方、下部領域２００Ａではフロントピラー１０６に取り付けることで、切断後は除去されるフィルムＷの部分にて、カバー部材２００の固定性を向上できる。なお、リアピラー１０３に対しても、カバー部材２００と同趣旨の構成を有するカバー部材を取り付けてよい。
【００６５】
なお、上述の実施形態では、フィルム貼り付けの対象物として自動車の車体が例示されていた。しかし、自動車に限らず、屋根と側壁を有するものであれば、他のものをフィルム施工の対象物としてもよく、例えば、電車、飛行体、家具、電化製品等にも適用が考えられる。
【００６６】
また、上述の実施形態では、治具本体部３の固定部は、側壁に固定されなくともよく、屋根、ドアに固定されてよい。
【符号の説明】
【００６７】
２…フィルム切断用治具、３…治具本体部、４…ガイド部、１１…固定部、１２…露出部、１４…位置決め部、１６…離間部、２１…易剥離部、２３…磁石、２６Ａ…第１の固定領域、２６Ｂ…第２の固定領域、４１…延長部、４５…角部、１００…車体、１０１…側壁、１０２…屋根、１０７…上縁部、１０８…対向面、１０９…受面、１１０…ドア、１５０…切断工具、１５１…刃部、１５２…棒状部材、２００…カバー部材、２０１…ガイド部、２０２…貫通部、２０３…溝部、Ｗ…フィルム、ＣＰ…被覆領域。
【図１】
2018064800.tif 000003
【図２】
2018064800.tif 000004
【図３】
2018064800.tif 000005
【図４】
2018064800.tif 000006
【図５】
2018064800.tif 000007
【図６】
2018064800.tif 000008
【図７】
2018064800.tif 000009
【図８】
2018064800.tif 000010
【図９】
2018064800.tif 000011
【図１０】
2018064800.tif 000012
【図１１】
2018064800.tif 000013
【図１２】
2018064800.tif 000014
【図１３】
2018064800.tif 000015
【図１４】
2018064800.tif 000016
【図１５】
2018064800.tif 000017
【図１６】
2018064800.tif 000018
【図１７】
2018064800.tif 000019
【図１８】
2018064800.tif 000020